Podtech/llm-jp-corpus-v4-ja_patent huggingface dataset:
(57)【要約】【課題】  農薬や化学肥料を大量に用いることなく、植物の成長を促進し、害虫も寄せ付けないようにすることができる土壌改良材を提供する。【解決手段】  フライアッシュをアルカリで処理することでゼオライトとして結晶させたものを土壌に対して１０〜２０％程度混合する。さらに、この発明の土壌改良材は、石灰窒素製造工程から排出される石灰窒素残渣石炭を４０〜１００重量％含むものでも良い。好ましくはこの石灰窒素残渣に含まれる炭素の割合を土壌に対して３％程度となるように配合するともっとも高い効果が得られる。【選択図】  なし【特許請求の範囲】
【請求項１】
フライアッシュを原料として製造される人工ゼオライトを土壌に混合して無農薬栽培を可能にする事ができることを特徴とする土壌改良材。
【請求項２】
石灰窒素製造工程から排出される石灰窒素残渣を４０〜１００重量％含むことを特徴とする請求項1記載の土壌改良材。
【発明の詳細な説明】
【技術分野】
【０００１】
この発明は、フライアッシュを原料として製造される人工ゼオライトと石灰窒素製造工程から排出される石灰窒素残渣等を利用して植物の成長促進を図るための土壌改良材に関する。
【背景技術】
【０００２】
従来、一般的な土壌改良材または土壌改良剤は、土のｐＨを調整したり、不足した成分を補う程度のものであった。また、特許文献１に開示されているように、無機金属塩を含有した土壌改良剤により、通気性通水性を向上させるものや、特許文献２に開示されているように、土壌表面に農薬を含んだ樹脂シートを被せて、殺虫、殺菌、除草等の効果を得るものも提案されている。
【特許文献１】特開２００１−３０３０５６号公報
【特許文献２】特開２００１−２３１３７９号公報
【発明の開示】
【発明が解決しようとする課題】
【０００３】
上記従来の技術の場合、土壌の成分を調整することができるが、植物自体の成長を促進したり、害虫から植物を防御したりするものではなく、これらの目的のためにはさらに肥料や農薬をまく必要がある。しかしながら、農薬や化学肥料を多用するとかえって土に悪影響を与え、環境にも良くなく、また食品における残留農薬も問題となる。
【０００４】
一方、近年農薬や化学肥料の上記弊害から、これらを使用しない農法が行われているが、農薬や化学肥料を用いないと害虫に植物が食べられたり病気になったりして、周囲の作物にも害虫被害を及ぼし成長も遅くなるという問題があった。
【０００５】
この発明は、上記従来の技術の問題点に鑑みて成されたもので、農薬や化学肥料を大量に用いることなく、植物の成長を促進し、害虫も寄せ付けないようにすることができる土壌改良材を提供することを目的とする。
【課題を解決するための手段】
【０００６】
この発明は、フライアッシュをアルカリで処理することでゼオライトとして結晶させたものを土壌に対して１０〜２０％程度混合する。
【０００７】
さらに、この発明の土壌改良材は、石灰窒素製造工程から排出される石灰窒素残渣石炭を４０〜１００重量％含むものでも良い。
【発明の効果】
【０００８】
この発明の土壌改良材により、化学肥料や農薬を使うことなく、植物の成長が促進され、しかも害虫による被害も抑えることができる。特に、この発明の土壌改良材に含まれるシリカと炭素とにより、太陽光の中の遠赤外線（波長が６．２７μｍを中心とし手効果を発生する。）の作用によって、空気中及び土壌中の水分子と共振作用を起こし、水クラスターを破壊して大量のマイナスイオンを発生させる。このマイナスイオンは、昆虫に対して生殖抑制効果があり、昆虫には忌避効果を発生する。さらに忌避効果により共生関係にある他の昆虫等に対しても寄り付かなくする効果が期待できる。例えば、この土壌改良材の周囲には蟻は寄り付かず、それによりアブラムシも来ない。さらに、カイガラムシや、マツクイムシにも忌避効果が認められた。一方、マイナスイオンは、爬虫類や哺乳類等の脊椎動物には良好な環境を与える。
【発明を実施するための最良の形態】
【０００９】
以下、この発明の実施の形態について説明する。この実施形態の土壌改良材は、フライアッシュをアルカリで処理することでゼオライトとして結晶させたものを土壌に対して１０〜２０％程度混合する。
【００１０】
さらに、この発明の土壌改良材は、石灰窒素製造工程から排出される石灰窒素残渣石炭を４０〜１００重量％含むものでも良い。これは石灰窒素製造工程から排出される石灰窒素残渣から成るもので、炭酸カルシウムに対して１０〜１２％程度の炭素を含有し、野積みされた残渣の場合、水分を２５〜３０％程度含んだ粉粒状の形態である。
【００１１】
この土壌改良材は、炭素の割合が土壌に対して２〜５％程度、好ましくは３％程度となるように配合すると良い。例えば、土壌に対して１０〜２０％程度混合する。また、炭酸カルシウムは、土壌のカルシウム補給に寄与する。
【００１２】
また人工ゼオライトの表面積は１ｇあたり１００〜１５０ｍ２もある。
【００１３】
従って、人工ゼオライトは、排水性、通気性が良く、保水性や保肥性がよい。これにより、締め固めに対して支持力が安定し、水田においては漏水の多い土壌に対して効果がある。さらに、凍土抑制効果や、強酸性のホウ素欠乏土壌に対して有効である。
【実施例１】
【００１４】
以下、この発明の土壌改良材の一実施例の組成について表１、表２に示す。
【表１】
2005281477.tif 000002
【表２】
2005281477.tif 000003
(57)【要約】      （修正有）【課題】スクリュー筒内壁への混練原料の付着を防止し、回転スクリューが円滑に作動する構造の堆肥製造用スクリューコンベアを提供する。【解決手段】回転スクリュー４を内蔵したスクリュー筒１０内周壁面に弾性材１１内張り層を一体に配設し、回転スクリュー羽根６の外周縁辺を前記弾性材１１の内張りに接触させる。【選択図】図２
2005281044.tif 000002
【特許請求の範囲】
【請求項１】
円筒体の内部軸方向に、モータ等で駆動される回転スクリューを配設し、円筒内に供給される畜糞・汚泥等の堆肥原料をスクリューの回転で圧送する堆肥製造用スクリューコンべアにおいて、円筒体の内周壁面に、弾性材内張り層を一体に配設し、回転スクリュー羽根の外周縁辺を前記弾性材の内張りに接触させたことを特徴とする堆肥製造用スクリューコンベア
【発明の詳細な説明】
【技術分野】
【０００１】
本発明は主として畜糞、汚泥、生ゴミ等の原料を圧送する堆肥製造用のスクリューコンベアに関する。
【背景技術】
【０００２】
堆肥の製造工程において畜糞や汚泥等の原料を定量的に送り出すときや大きい角度で搬送するときは回転スクリューを内蔵した円筒スクリューコンベアが利用される。
【０００３】
スクリューコンベアの円筒体と、この中に挿入される回転スクリューはどちらも鋼鉄製であるからスクリューの外周先端を円筒の内面に密接させることができない。このため、スクリューの外周先端と円筒内面の間に隙間を設けて配置されている。
【発明の開示】
【発明が解決しようとする課題】
【０００４】
この種のスクリュー筒は使用開始後しばらくは円滑に作動するが、時間が経つに従って過負荷となり、モータのパワーを大きくしても回転不能となってしまう。
問題を解決するためにスクリュー回転停止の原因を調べると、鶏糞や汚泥はスクリュー筒内で回転スクリューによって混練されると粘性が出てスクリュー筒内壁面に付着して固化し、回転スクリュー羽根の先端全般に抵抗がかかるため大きな負荷となって回転が不能となることが判明した。
【０００５】
さらによく精査したところ、鶏糞は残留蛋白質が多く、また汚泥は死滅菌体が多いことによる低質の蛋白が多く、これらは回転スクリューで混練されることにより粘性を増して強い糊状になって固化することが確認された。ここでは蛋白原料の接着剤生成と同様の現象がおきているものと考えられる。
【０００６】
他方、前記のように、スクリューコンベアはスクリュー円筒内壁と回転スクリュー羽根の先端の間に隙間があるため、この隙間に付着した糊状原料が固化し、さらにその表面にスクリューの回転により粘性を増した糊状原料が押し付けられてぬり固められ、スクリュー筒内壁に強力に接着した硬化層に成長し、スクリューを回転不能にしてしまう。
【０００７】
この問題を解決する手段として、円筒体内壁にテフロンを焼き付けることを考えたが、テフロンはコスト高になり、また磨耗の問題で実用困難であった。
またテフロン板を利用することも試みたが、テフロン板は硬く加工しにくいだけでなく、円筒体内面への取付けが困難で実用化が期待できなかった。
【０００８】
従って、本発明の目的は、スクリュー筒の内壁への混練原料の付着を防止し、回転スクリューが常に円滑に作動する構造の堆肥製造用スクリューコンベアを提供することにある。
【課題を解決するための手段】
【０００９】
上記目的を達成するために、本発明は、円筒体の内部軸方向に、モータ等で駆動される回転スクリューを配設し、円筒内に供給される畜糞・汚泥等の堆肥原料をスクリューの回転で圧送する堆肥製造用スクリューコンべアにおいて、円筒体の内周壁面に、弾性材内張り層を一体に配設し、回転スクリュー羽根の外周縁辺を前記弾性材の内張りに接触させたことを特徴とする。
ここでいう「接触」とは所定の圧力でスクリュー羽根の外周先端が弾性材層の一部に食い込む場合を含む。
【発明の効果】
【００１０】
本発明のスクリューコンベア（スクリュー筒）は回転スクリューを内蔵した円筒体の内周壁にゴムなどの弾性材の内張り層を一体に形成し、回転スクリューの羽根先端が弾性材内張り層の両面に接触して擦るように形成したのでスクリュー筒内面に混練原料が付着することがない。従って、回転スクリューが回転不能になるおそれがなくなり、モータのパワーも相対的に小さくて済む。
【発明を実施するための最良の形態】
【００１１】
以下、本発明の実施例を添付の図面に基づいて説明する。
図１は本発明による堆肥製造用スクリューコンベア１の概略を示す縦断面図であり、鋼鉄製の円筒体２の内部軸方向に、モータ３で駆動される回転スクリュー４が回転可能に挿入されている。
【００１２】
回転スクリュー４は円筒体２の軸方向に配置した回転軸５に沿って螺旋状のスクリュー羽根６を固定した構成からなり、ホッパー７から投入した畜糞、汚泥、生ゴミ等の堆肥材８をスクリュー羽根６の回転により圧縮・混練しながら矢印方向へ圧送し、排出口９から取出すようになっている。
【００１３】
このような構造の堆肥製造用スクリューコンベア筒において、本発明は図２に拡大して示すように、スクリュー筒１０の構造を、鋼鉄製円筒体２の内周壁に、所定の厚みを有するゴム、合成ゴム、合成樹脂等の比較的柔らかい材質の弾性材１１を一体に接合し、回転スクリュー４の螺旋状スクリュー羽根６の先端縁辺が弾性材１１に強く接触するように配設してある。
【００１４】
かくして、スクリュー羽根６の先端が弾性材１１の弾性を利用して弾性材表面に食い込むように接触しているのでスクリューの回転に伴って弾性材１１の表面が弾力的に変形しながらスクリュー羽根６の先端縁辺によって擦られる。従って、スクリュー筒１０の弾性材１１表面の混練原料はスクリュー羽根６によって常にそぎ落とされるので、スクリュー筒内面への付着・固化が防止され円滑な回転で原料を送り出す。
【産業上の利用可能性】
【００１５】
本発明はスクリュー筒の原料付着が防止されるので原料固化によるスクリューコンベアの作動不能が合理的に解消し、堆肥製造工程の改善に貢献できる。また、過負荷によるモーターの故障がなくコストの節減が図れる。
【図面の簡単な説明】
【００１６】
【図１】本発明の実施例による堆肥製造用スクリューコンベアの概略構成断面図
【図２】図１の要部拡大断面図
【図３】図１の要部拡大断面図
【符号の説明】
【００１７】
１…スクリューコンベア
２…円筒体
３…モータ
４…回転スクリュー
５…回転軸
６…スクリュー羽根
７…ホッパー
８…堆肥材
９…排出口
１０…スクリュー筒
１１…弾性材
【図１】
2005281044.tif 000003
【図２】
2005281044.tif 000004
【図３】
2005281044.tif 000005
(57)【要約】【課題】      醤油差しの上部に設けられているスクリューキャップの上面中央部に毛ブラシを取り付けることによって、家庭で焼きおにぎりをつくるときやお好み焼きをつくるとき、あるいは河原やキャンプ場でバーベキューをするときに、簡単手間いらずで、醤油や焼肉のタレが塗れる毛ブラシを取り付けた万能醤油差しを提供しようとする。【解決手段】  スクリューキャップ４の上面中央部に突起部３を設け、突起部３の上面中央部に穴２を設け、穴２の周囲に開口部６を設けて毛ブラシ１を固定したことを特徴とする。【選択図】    図１
2005137914.tif 000002
【特許請求の範囲】
【請求項１】
ボトル８の上部に設けられているスクリューキャップ４の上面中央部に突起部３を設け、この突起部３の上面中央部に醤油、あるいは焼肉のタレなどを通すための穴２を設け、この穴２の周囲に毛ブラシ１を設けた毛ブラシを取り付けた醤油差し。
【発明の詳細な説明】
【発明の詳細な説明】
【技術分野】
【０００１】  この発明は、焼きおにぎりやバーベキューをするときに、食材に、醤油や焼肉のタレを塗るが、本発明を一本用意しておけば、簡単に調理ができる毛ブラシを取りつけた醤油差しに関するものである。
【発明が解決しようとする課題】
【０００２】  従来より、焼きおにぎりをつくるときやバーベキューのときは、器にタレを入れて用意したり、ハケで食材に塗るが、食後の器やハケを洗うという面倒な作業があった。
【課題を解決するための手段】
【０００３】  以下に、課題を解決するための手段を図面をもって説明する。
イ  ボトル８の上部に設けられているスクリューキャップ４の上面中央部に、突起部３を    設ける。
ロ  この突起部３の上面中央部に、醤油や焼肉のタレをボトル８内部から出すための穴２    を設ける。なお醤油と焼肉のタレは濃度が異なるので、穴２のサイズは選択しなくれ    ばならない。
ハ  穴２の周囲には、毛ブラシ１を固定するための開口部６を設け、この開口部６に毛ブ    ラシ１を挿入して固定する。毛ブラシ１は、いずれの場合に於いても高熱発生物に対    して使用するので、耐熱性を有する毛ブラシ１を使用しなくればならない。
ニ  毛ブラシ１及びその周囲の衛生を保持するために、保護カバー７を設けた。なおスク    リューキャップ４から保護カバー７を容易に取り外せるように、スクリューキャップ    ４の下部の周囲に凸状の固定部５を設ける。
ホ  ボトル３は、弾性を有するものを使用する。
【発明の効果】
【０００４】  本発明を使用することによって、家庭で焼きおにぎりをつくるとき、あるいは河原やオートキャンプ場などでバーベキューをするときには、これ一本で簡単手間要らずで、美味しい焼きおにぎりやバーベキューができるようになる。また、食後は保護カバーをかぶせるだけなので、後片付けの面倒もなくなる。なお本発明は、魚の照り焼き、また業務用として寿司、せんべいの製造工程、お好み焼きやタコ焼きなどにも使用できる。
【図面の簡単な説明】
【図１】  スクリューキャップの実施例を示す斜視図である。
【図２】  スクリューキャップの実施例を示す平面図である。
【図３】  毛ブラシの取り付け部及び穴の位置と形状の配置例を示す平面図である。
【図４】  スクリューキャップを示す底面図である。
【図５】  本発明の使用状態を示す斜視図である。
【符号の説明】
１  毛ブラシ
２  穴
３  突起部
４  スクリューキャップ
５  固定部
６  開口部
７  保護カバー
８  ボトル
【図１】
2005137914.tif 000003
【図２】
2005137914.tif 000004
【図３】
2005137914.tif 000005
【図４】
2005137914.tif 000006
【図５】
2005137914.tif 000007
(57)【要約】【課題】  簡単な構造によりオバーフロープレートの下端部の空気吸い込み口で空気中に含んでいる塗料ミストの捕集効率向上を目的とした塗装ブースの塗料ミスト捕集装置を提供する。【解決手段】  洗浄水を収容するウォータチャンネル１からオバーフロープレート２を介して洗浄水を流下させるようにしたベンチュリー型塗装ブースにおいて、前記オバーフロープレート２の下端の吸い込み口部３に円弧状の網目部材４を、その凸曲面側を空気流８に向けて網目部材４の凹曲面側に円弧状の覆部材６を、その凹曲面側を網目部材４の凹曲面側と対面して配置し、覆部材６の凹曲面により網目部材４を通過する空気流８を蛇行流に変流して３回気液接触させ空気中に含まれている塗料ミストを捕集するようにした。【選択図】        図１
2005137990.tif 000002
【特許請求の範囲】
【請求項１】
洗浄水を収容するウォータチャンネルからオバーフロープレートを介して前記洗浄水を流下させるようにしたベンチュリー型塗装ブースにおいて、前記オバーフロープレートの下端の吸い込み口部に水膜を形成するための円弧状の網目部材を、その凸曲面側を空気流に向けて傾斜角度を持たせて配置し、前記網目部材の凹曲面側に円弧状の覆部材を、その凹曲面側を前記網目部材の凹曲面側と対面して配置し、前記覆部材の凹曲面により網目部材を通過する空気流を蛇行流に変流して気液接触させ空気中に含まれている塗料ミストを捕集するようにしたことを特徴とする塗装ブースの塗料ミスト捕集装置。
【発明の詳細な説明】
【技術分野】
【０００１】
本発明は、ベンチュリー型の塗装ブースにおける塗料ミスト捕集装置に関するものである。
【背景技術】
【０００２】
自動車の塗装においては図２で示すように、塗装ブース１０にコンベア１３によって搬送される車体１２塗装機により塗装される。この塗装ブース１０内には上方の給気室１７から外気が供給され、塗装ブース１０で発生した塗料ミストを含有する空気は床１１の下に送られ、この床１１の下に設けられているベンチュリー型塗料ミスト除去装置１４で塗料ミストを除去し、排気フアン１５によって大気中に排出している。
【０００３】
上記ベンチュリー型塗料ミスト除去装置１４は図３で示すように、ウォータチャンネル１に溜められている洗浄水をオバーフロープレート２を介して流下させ、オバーフロープレート２の下端の吸い込み口３で洗浄水の水膜を作り、この水膜と空気流１６とを気液接触させ空気中に含有するる塗料ミストを洗浄水の水膜によって分離除去している。しかしながら、オバーフロープレート２への未塗着塗料の付着で前記水膜切れが発生し、水膜の隙間多くなり塗料ミストの捕集効率が低く塗料ミストの捕集が不安定であった。
【特許文献１】特開平０７−２３６８４５号公報
【特許文献１】特開平０６−２５４４５４号公報
【特許文献１】特開２００２−２７３２９０号公報
【発明の開示】
【発明が解決しようとする課題】
【０００４】
本発明の目的は、簡単な構造によりオバーフロープレートの下端部の空気吸い込み口での水膜切れが発生しても空気中に含んでいる塗料ミストを捕集可能とした塗装ブースの塗料ミスト捕集装置を提供することである。
【課題を解決するための手段】
【０００５】
上記の目的を達成するための本発明は、請求項１に記載の通り、洗浄水を収容するウォータチャンネルからオバーフロープレートを介して前記洗浄水を流下させるようにしたベンチュリー型塗装ブースにおいて、前記オバーフロープレートの下端の吸い込み口部に円弧状の網目部材を、その凸曲面側を空気流に向けて傾斜角度を持たせて配置し、前記網目部材の凹曲面側に円弧状の覆部材を、その凹曲面側を前記網目部材の凹曲面側と対面して配置し、前記覆部材の凹曲面により網目部材を通過する空気流を蛇行流に変流して気液接触させ空気中に含まれている塗料ミストを捕集するようにしたことを特徴とするものである。
【発明の効果】
【０００６】
本発明によると、空気吸い込み口での水膜切れが発生し、水膜の隙間が多くなっても網目部材で塗料ミストを捕集する。この網目部材を通過する空気流を覆部材によって蛇行流に変流して複数箇所で気液接触させるため、塗料ミストを捕集効率を向上する。
【発明を実施するための最良の形態】
【０００７】
以下本発明を実施するための最良の形態について図面に基づいて説明する。
図１は本発明を示し、１は仕切り板３を備えた洗浄水を収容するウォータチャンネルであり、図略の給水管により洗浄水が給水される。２はオバーフロープレートでありウォータチャンネル１からオバーフローする洗浄水を流下させ、オバーフロープレート２の下端の空気吸い込み口３に気液接触させるための水膜を作る。
【０００８】
本発明は上記の構造において、オバーフロープレート２の下端の吸い込み口３の部位に円弧状の網目部材４を、その凸曲面側を空気流８に向けて傾斜角度を持たせて配置し、前記網目部材４の凹曲面側に円弧状の覆部材６を、その凹曲面側を前記網目部材４の凹曲面側と対面して配置したものである。尚、前記網目部材４は菱形の網が適当である。
【０００９】
本発明は上記の通りの構造であるから、通常は網目部材４に沿って洗浄水の水膜が作られ、網目部材４を通過する空気と気液接触し空気中の塗料ミストを分離除去する。この網目部材４を通過する空気流８は、覆部材６によって蛇行流に変流して複数箇所７で気液接触させるため、塗料ミストの捕集効率を向上する。また、水膜切れが発生し、水膜の隙間多くなっても網目部材４で塗料ミストを捕集するため、塗料ミストは安定して捕集される。尚、洗浄水は清水が使用されるが実際には未塗着塗料が混ざっており、この洗浄水に混ざっている未塗着塗料も網目部材４で捕集する。
【００１０】
前記網目部材４は、水流で流れないよう重錘のような基台５に立てられた支持部材により支持されて傾斜角度を保持している。
【００１１】
本発明は上記のように、従来の構造を改変することなく簡単な構造で網目部材４を通過する空気流を蛇行流に変流して複数箇所７で気液接触させるようにしたフィルタ機構を付加することにより空気吸い込み口に水膜切れが発生し、水膜の隙間多くなっても塗料ミストの捕集効率を向上する塗装ブースの塗料ミスト捕集装置を低コストにより提供することができる利点を有している。
【図面の簡単な説明】
【００１２】
【図１】本発明の断面図
【図２】従来一般の塗装ブーツを示す図
【図３】図２のＡ矢視部の拡大詳細図
【符号の説明】
【００１３】
１    ウォータチャンネル
２    オバーフロープレート
３    空気吸い込み口
４    網目部材
５    基台
６    覆部材
７    気液接触
８    空気流
【図１】
2005137990.tif 000003
【図２】
2005137990.tif 000004
【図３】
2005137990.tif 000005
(57)【要約】転炉スラグによる埋立地は転炉スラが含む石灰分のために雨水等の滲出水はアルカリ性を示し，水質汚濁の原因の一つとなっている。その対策としての中和手段のひとつを提案するものである。それは滲出水と海水とを適当な比率で混合し、海水中の溶解成分である重炭酸イオン，マグネシウムイオンと滲出水中の消石灰を反応させて、炭酸カルシウム、水酸化マグネシウムに代えて中和に必要な薬品を皆無、又は低減させようとするものである。【課題】転炉スラグで埋立られた埋立地の滲出水の中和法【解決手段】滲出水と海水とを適当比率で混合させ、滲出水の消石灰と海水中の重炭酸イオン、マグネシウムイオンと反応させ、炭酸カルシウム、水酸化マグネシウムに変えることにより、中和薬剤を皆無、又は軽減するものである。【選択図】なし。【特許請求の範囲】
【請求項１】
転炉スラグ・埋立地の雨水滲出水を中和して放流する手段としてその滲出水に対して０．５倍から５倍量の海水を混合することにより中和薬品を皆無，又は低減する方法。
【発明の詳細な説明】
【技術分野】
【０００１】
本発明は水質汚濁防止に関するものである。
【背景技術】
【０００２】
従来の技術では雨水滲出水を汲み上げて、それに酸性水溶液（塩酸、硫酸）、又は炭酸ガスを加え、中和する方法が採用されてきた。
【発明の開示】
【発明が解決しようとする課題】
【０００３】
（１）埋め立て地のような場所は番外地であるのが一般的で、そのような場所に中和用の塩酸タンク、硫酸タンク等を設置することは事故等を考えると非常に危険性が伴う。炭酸ガスはコスト高になり、又酸素欠乏事故も考えられ、いずれも実現できない可能性が高い。
（２）又、強酸性の塩酸等で滲出水を中和する際のＰＨ曲線（対酸性液添加量）はＰＨが７付近では急な勾配を有しており、ＰＨ≒７近傍に保つことは技術的に特殊な制御装置を必要とする。
（３）従って上記滲出水の中和のための安全な、低コストの中和法が求められていた。
【課題を解決するための手段】
【０００４】
転炉スラグ等の製鋼スラグは石炭分（酸化カルシウム）をおおよそ４０％から５０％程度を含有しており、その大半は消石灰、酸化カルシウムとして存在する。これらの鉱物が雨水と接触した場合に消石灰として水中に溶解しＰＨを上昇させることは周知の事実である。これを無害な中性の水にする為には、塩酸、硫酸、炭酸のような酸性物質を滲出水に添加し、そのＰＨを７程度に低下させるのも周知の方法である。しかしこの方法では薬品代が高くなり、且つ、危険物である塩酸、硫酸を取り扱うことになり、事故時の対策も考慮せねばならなくなり、設備費用が高くなり、且つタンク崩壊等の危険性も伴う。本発明者はこの問題につき、スラグ滲出水の高ＰＨ化するのが、スラグからの消石灰の溶出であり、この消石灰は重炭酸イオンと反応し、炭酸カルシウムとして沈殿すること、及びその重炭酸イオンは海水中に多く含有していることに気づき、それらを混合することにより、ＰＨ上昇の原因物質である消石灰を海水中の重炭酸イオンと反応させ、中性物質である炭酸カルシウムに変えてしまうことにより、中性にしようとするものであり、それに成功した。即ち、以下の反応を起こさせることにより、滲出水を中性化しようとするものである。
【０００５】
【化１】
2005137998.tif 000002
【０００６】
【化２】
2005137998.tif 000003
即ち、無尽蔵にあり、無料（汲み上げの為の電気代はいるが）である海水中の重炭酸イオンを中和剤として使用することから、薬品中和と比較して低コスト化、及び劇薬等を使用しないために安全性を高め、危険性も低減も可能である。
【発明を実施するための最良の形態】
【０００７】
雨水滲出水と埋立地近傍から採取した海水との混合装置のみで放流可能となる。
【実施例】
【０００８】
ＰＨ＝１２．４の滲出水の海水との混合により、どの程度ＰＨが低下するかを以下に示す。
滲出水  ：  海水  ＝  １：０．５    →    ＰＨ＝１０．２  →白濁生成
滲出水  ：  海水  ＝  １：１．０    →    ＰＨ＝９．１  →白濁生成
滲出水  ：  海水  ＝  １：１．５    →    ＰＨ＝８．６  →白濁生成
滲出水  ：  海水  ＝  １：２．０    →    ＰＨ＝８．２  →白濁生成
このように滲出水に対して０．５倍量以上の海水を混合させることにより、白濁物が生成し、それに中和剤を加えることにより、或いは加えずともＰＨを８．６以下に抑えることができた。更に海水混合量を増すとPＨも低下するが、排水量も増加し、設備が大きくなり、０．５倍から３倍量の海水、多くとも５倍量の海水混合が限界であろう。
又、生成された炭酸カルシウムは凝集剤等で沈殿処理するのが妥当であろう。
(57)【要約】【課題】従来、放電による液体の浄化装置は、液体流通経路内に設置されてある電極間にパルス電圧を印加し高電界を発生させ、高電界部を通過する液中の菌や微生物を死滅させて浄化をしていたが、塵埃までは除去することはできないため、循環させて何度も再使用することはできないという課題を有していた。【解決手段】電極を網にすることで、菌や微生物・塵埃を含む液体が高電界部を通過した場合、菌や微生物を十分に破壊または不活化させ、塵埃も回収することができる液体処理装置としている。【選択図】図１
2005137994.tif 000002
【特許請求の範囲】
【請求項１】
放電電極と、対向電極と、前記両電極間に高周波数極小パルス幅の高電圧を印加させるパルス電圧印加装置を備え、前記放電電極と対向電極は網状またはフィルター状であることを特徴とした液体浄化装置。
【請求項２】
対向電極は円筒形状であることを特徴とした請求項１に記載の液体浄化装置。
【発明の詳細な説明】
【技術分野】
【０００１】
本発明は、放電することにより液体中の有害物質や細菌等の除去を行う液体の浄化装置に関するものである。
【背景技術】
【０００２】
従来放電による液体の浄化装置は、液体流通経路内に設置されてある電極間に高電圧パルス電圧を印加し高電界を発生させることにより、前記高電界部を通過する液中の細菌を死滅させて浄化をしていた（例えば特許文献１参照）。
【特許文献１】特開平２−２４５２９０号公報
【発明の開示】
【発明が解決しようとする課題】
【０００３】
しかしながら、上記従来の構成では、浄化した液体を循環させて何度も再使用するような装置では、液体を除菌できても液体に混入しているごみ・埃等の塵埃までは除去することはできないという課題を有していた。
【０００４】
そこで、本発明はこのような従来の課題を解決し、常に液体中の殺菌を行うとともに、塵埃の除去も行う液体浄化装置に関するものであり、菌や微生物・塵埃等を含む液体が通過した場合でも十分に殺菌・ろ過できる液体浄化装置を提供することを目的としたものである。
【課題を解決するための手段】
【０００５】
上記課題を解決するために、本発明の液体浄化装置は、放電電極と、対向電極と、前記両電極間に高周波数極小パルス幅の高電圧を印加させるパルス電圧印加装置を備え、前記放電電極と対向電極は網状またはフィルター状としたものである。たとえば液体流通回路の液体に対して直角方向に、ステンレス製の網からなる放電電極と対向電極を配設し、液体のろ過を可能にするとともに、前記両電極間で放電による高電界を発生させて菌や微生物を破壊または不活化させることができるよう高周波数の極小パルス幅の高電圧を前記両電極間に印加させるパルス電圧印加装置を備えたものである。
【０００６】
ここで、パルス電圧印加装置は、例えば、倍電圧回路にＩＧＢＴなどのスイッチングを備え高周波数のパルス波形の電圧を生成し、さらに高圧トランスで昇圧するなど、高周波数の極小パルス幅の高電圧を印加する電装回路であれば、その種類については何ら限定しない。
【０００７】
これにより菌や微生物・塵埃を含む液体は、網電極のろ過効果と放電により発生した高電界領域部分での殺菌効果で、常に循環する液体を浄化させることができる。
【発明の効果】
【０００８】
本発明の浄化処理装置によれば、塵埃をろ過するとともに、放電による高電界で菌や微生物を除菌することができる。さらには塵埃が堆積しても放電状態への影響がない。
【発明を実施するための最良の形態】
【０００９】
本発明は、放電電極と、対向電極と、前記両電極間に高周波数極小パルス幅の高電圧を印加させるパルス電圧印加装置を備え、前記放電電極と対向電極は網状またはフィルター状であることを特徴とした液体浄化装置である。ステンレス製網の放電電極と対向電極を配設することで塵埃をろ過するとともに、放電による高電界で菌や微生物を除菌すること
ができるという作用を有する。
【００１０】
また対向電極は円筒形状であることを特徴とする。線状の放電電極と底面に網状またはフィルター状のろ過部分を設けた円筒状の対向電極を配設することで塵埃をろ過するとともに、放電による高電界で菌や微生物を除菌することができ、さらには塵埃が溜まっても放電状態へは影響しないという作用を有する。
【００１１】
以下本発明の一実施形態について図面を参照して説明する。
【００１２】
（実施の形態１）
図１において、２は放電電極、３は対向電極、４はパルス電圧印加装置、５は浄化処理装置である。以上のような構成において、以下その動作について説明する。網製の放電電極２と同じく網製の対向電極３と前記電極間にパルス電圧を印加するパルス電圧印加装置４で浄化処理装置５を構成している。この浄化処理装置５に矢印で示すように液体が流通する。
【００１３】
放電電極２にパルス電圧を印加することにより、放電電極２と対向電極３との間は放電され高電界が発生する。この電極間の高電界領域部では上流側から下流側へと液体を通過させた場合、浄化装置の上流側の液体に菌や微生物が含まれていると、高電界領域部で、ＤＮＡやＲＮＡが変形されたりするなど、通過中に破壊または不活化されて下流へと通過することになる。さらに液中に含まれている塵埃は網でできた電極にて回収されることになり、常に浄化された液体のみ排出されることになる。
【００１４】
（実施の形態２）
続いて本発明の第２の実施形態を図２を用いて説明する。２２は放電電極、２３は対向電極、２４はパルス電圧印加装置、２５は浄化処理装置である。以上のような構成において、以下その動作について説明する。
【００１５】
線状の放電電極２２と底面に網状またはフィルター状のろ過部分を設けた円筒状の対向電極２３と前記電極間にパルス電圧を印加するパルス電圧印加装置２４で浄化処理装置２５を構成しており、この浄化処理装置５に矢印で示すように液体が流通する。
【００１６】
放電電極２２にパルス電圧を印加することにより、放電電極２２と対向電極２３との間は放電され高電界が発生する。この電極間の高電界領域部では、上流側から下流側へと液体を通過させた場合、浄化装置の上流側の液体に菌や微生物が含まれていると、高電界領域部で、ＤＮＡやＲＮＡが変形されたりするなど、通過中に破壊または不活化されて下流へと通過することになる。さらに液中に含まれている塵埃は放電電極底面に設けられた網またはフィルターで回収されることになり、常に浄化された液体のみ排出されることになる。また、フィルター面に塵埃が堆積してきても放電に対する影響はない。
【００１７】
以上のような構成による浄化処理装置を液体流通回路内に配設することで、殺菌・浄化し、人体にも安全な処理液として循環利用することができるものである。また、循環して何度も再利用できるため、液体の合理化にもつながる。
【図面の簡単な説明】
【００１８】
【図１】本発明の第１の実施形態における浄化処理装置の概略図
【図２】本発明の第２の実施形態における浄化処理装置の概略図
【符号の説明】
【００１９】
２、２２  放電電極
３、２３  対向電極
４、２４  パルス電圧印加装置
５、２５  浄化処理装置
【図１】
2005137994.tif 000003
【図２】
2005137994.tif 000004
(57)【要約】      （修正有）【課題】鼻の低い者が両目の間に位置する鼻の付け根部分を指でつまみ上げ、鼻が従来より高くなった状態のところを、鼻用補整粘着テープを装着し、固定させる事により、鼻を高くみせる事のできる、鼻用補整粘着テープを提供する。【解決手段】鼻用補整粘着テープは肌色の皮膚用粘着テープを台形、もしくは底辺の二角がまるみを帯びた弱台形に打ち抜き、光沢性のある台紙上にはりつけた状態の物であり、外出時や写真撮影時など、個人が鼻を高く見せたいと願う時に、台紙から一枚はがし、手軽に使用する事の出来る物である。使用方法は、まず清潔な手で台紙から鼻用補整粘着テープをはがし、もう一方の手で両目の間に位置する鼻の付け根部分を強くつまみ、鼻を高くし、高くなった状態の皮膚に本発明を装着する。長時間皮膚を固定させる事ができるので、在宅時や就寝時に長時間使用すれば、鼻の矯正にもなる。【選択図】図１
2005137739.tif 000002
【特許請求の範囲】
【請求項１】
皮膚用粘着テープを台形、又は弱台形に打ち抜いた物を本体とし、台紙に貼り付けた状態である鼻用補整粘着テープ。
【発明の詳細な説明】
【技術分野】
【０００１】
本発明は、鼻を従来より高く見せる事を目的にした物で、使用したい時に台紙からはが  し、鼻に装着できる物である。
【背景技術】
【０００２】
従来鼻を高く見せるには、美容整形を受けたり、化粧を施すしか方法はなく、本発明のように、使用する事で瞬時に鼻を高く見せることのできる物はなかった。
【発明の開示】
【発明が解決しようとする課題】
【０００３】
顔の中心に位置する鼻は人間にとってとても重要な物で、鼻の形や高さで人は劣等感を  持ったり、優越感を持ったりする。鼻の低い者が本発明を使用すると、鼻すじが通り、  目元がすっきりとした印象になるので、鼻が低いという悩みから解放される。ゆえに本  発明は、鼻が低いという悩みをを手軽に安全に解決するためになされた物である。
【課題を解決するための手段】
【０００４】
本発明は肌色の皮膚用粘着テープを上辺１.０〜１.５ｃｍ、底辺２.０〜３.０ｃｍ、高  さ０.５〜１.２ｃｍの台形、もしくは底辺の二角が丸みを帯びた弱台形に打ち抜いた物を本体とし、光沢性のある台紙上にはり付けた状態の物である。鼻を高く見せたい時に台紙からはがし、  鼻の付け根を指でつまみ上げて鼻が従来より高くなったところに本発明を装着するとで  鼻の皮膚が固定され、鼻を従来より高く見せる事が可能になる。本発明は透明又は肌色なので装着していてもあまり目立たない。
【発明の効果】
【０００５】
従来鼻を高く見せるには、美容整形を受けるか、化粧を施すしか方法がなかったが、美  容整形は高額で危険を伴うという難点がある。また化粧だけで鼻を高く見せるのは、限  度があり、効果は少ないが、本発明は非常に簡単で安全に鼻を高く見せる事が出来る。
そして、鼻の付け根が従来より高くなることにより、鼻すじが通り、目元がすっきりと  した印象になるので、鼻が低いという劣等感から開放され、満足感が生まれる。
【発明を実施するための最良の形態】
【０００６】
（イ）鼻用補整粘着テープは、肌色の皮膚用粘着テープを上辺１．０〜１．５ｃｍ、底辺      ２．０〜３．０ｃｍ、高さ０．５〜１．２ｃｍの台形、もしくは底辺の二角が丸み      を帯びた弱台形に打ち抜いた物を本体とし、光沢性のある台紙上にはり付けた状態の物である。
鼻を従来より高い位置で長時間固定させる事が目的であるので、上辺は少なくとも      １．０ｃｍなくてはならない。打ち抜いたテープの面積が大きい程皮膚を固定させ      る力が強くなるので、鼻の大きさや好みによってサイズを使い分けると良い。また      外出時には、小さなサイズの物を使用し、上から化粧を施すと、より目立たなくな      る。
（ロ）鼻用補整粘着テープを使用する際は、清潔な手でテープを一枚台紙からはがし、も      う一方の手で鼻の付け根をつまみ、鼻を高くした状態でテープを鼻の付け根に装着      させる。その時、鼻の縦の中心とテープの縦の中心が一致するようにする。またテ      ープを水平に装着することで、長時間鼻に密着させることができる。
（ハ）在宅時や就寝時に、鼻の形を矯正することを目的として長時間使用する事も可能で      あるし、写真撮影時や舞台に出演する時などに使用すると、目鼻立ちが従来よりは      っきりとした印象になるので効果的である。さらに本発明を装着している間は、鼻      が従来より高い状態であるので、満足感が生まれる。
【実施例１】
【０００７】
図１は透明又は肌色の皮膚用粘着テープを、上辺１．５ｃｍ、底辺３．０ｃｍ高さ１．２ｃｍに打ち抜いた鼻用補正粘着テープ本体（大）１と透明又は肌色の皮膚用粘着テープを、上辺１．０ｃｍ、底辺２．０ｃｍ、高さ０．７ｃｍに打ち抜いた鼻用補正粘着テープ本体（小）を表す図であり、（大）は肌に装着する面積が大きいため、鼻の矯正に効果が大きい。ゆえに在宅時や就寝時に使用するのに適している。
（小）は肌に装着する面積が小さいため、装着していてもあまり目立たないので、外出時に使用すると良い。
【実施例２】
【０００８】
図２（イ）は鼻用補正粘着テープを装着する前の顔を表した図である。
図２（ロ）は透明又は肌色の皮膚用粘着テープ台形，又は弱台形に打ち抜いた鼻用補正  粘着テープを光沢性のある台紙から一枚はがし、鼻に装着している状態を表す図である。
【図面の簡単な説明】
【０００９】
【図１】本発明の鼻用補整粘着テープの図面である。
【図２】（イ）鼻用補整粘着テープを装着する前の顔を表す図である。  （ロ）鼻用補整粘着テープを装着した顔を表す図である。
【符号の説明】
【００１０】
１、鼻用補整粘着テープ本体（大）
２、鼻用補正粘着テープ本体（小）  
３、台紙
【図１】
2005137739.tif 000003
【図２】
2005137739.tif 000004
(57)【要約】    【課題】  浴室用カウンター天板１のばたつき及び跳ね返りを防止し、外観を損なわない浴室ユニットにおけるカウンター支持構造を提供する。    【解決手段】  浴槽５に取付けられるカウンター天板１と、カウンターエプロン２からなるカウンターにおいて、金属を用い段違いの折曲げ部を設けた支持材と、カウンター天板１に切りかき部１１を設け、その切りかき部１１に前記カウンター支持材８の折曲げ部を挿入し、カウンター天板１を固定する。    【選択図】  図３
2005137484.tif 000002
【特許請求の範囲】
【請求項１】
浴槽に取付けられるカウンター天板とカウンターエプロンからなるカウンターにおいて、金属を用い段違いの折曲げ部を設けたカウンター支持材と、カウンター天板に切りかき部を設け、その切りかき部に前記カウンター支持材の折曲げ部を挿入し、カウンター天板を固定するカウンター天板の支持構造。
【発明の詳細な説明】
【技術分野】
【０００１】
本発明は、浴室ユニットにおけるカウンター天板の支持構造に関するものである。
【背景技術】
【０００２】
従来は、浴室に取付けられるカウンターの取付け構造に関して、カウンター天板部に折返し部を設け、その折返し部を取付け用ネジと取付金具にて狭着し、カウンターを固定することが知られている。
【特許文献１】特開２０００−２５７２９３
【発明の開示】
【発明が解決しようとする課題】
【０００３】
しかし、支持部材がコの字形形状をしているため、その加工時間がかかり、コストアップの要因となっている。
【課題を解決するための手段】
【０００４】
本発明では、浴室用カウンター天板のばたつき及び跳ね返りを防止し、外観を損なわない浴室内カウンターの支持構造を提供する。
【発明の効果】
【０００５】
本発明は上記構成により、支持材の金属の露出がないため外観を損なわず、安価な支持材を提供する効果を発揮する。
【発明を実施するための最良の形態】
【０００６】
以下、添付図面を参照しながら、本発明をさらに具体的に説明する。図１は本発明のカウンターを適用した浴室ユニットの斜視図である。バスルームは床３、浴室壁４、浴槽５及び天井（図示せず）からなり、カウンターはカウンター天板１、カウンターエプロン２、カウンター支持材などからなり、通常カウンター天板１は浴室洗い場の水栓６側壁に取付けられることが多い。また、カウンター上方には鏡７などが取付けられる。
【０００７】
図２は本発明のカウンター天板支持構造を示す斜視図であり、また、図３はカウンター支持構造を示す断面図である。あらかじめ、浴室壁４の浴室側に両面テープでカウンター支持材８の突起を壁面に垂直にして仮止めし、浴室壁４の浴室外側に支持材固定用木１０を両面テープで仮止めし、固定用ねじ９で浴槽壁４にカウンター支持材８及び支持材固定用木１０を固定する。さらに、カウンター天板の切りかき部１１をカウンター支持材挿入部１２に挿入し、カウンター天板１の端部１３がカウンター支持材固定部１４の上に乗るようにカウンター天板をカウンター支持材に固定する。
【図面の簡単な説明】
【０００８】
【図１】本発明の実施例に関わる浴室ユニットの部分斜視図
【図２】本発明のカウンター支持構造の斜視図
【図３】本発明のカウンター支持構造の断面図
【符号の説明】
【０００９】
１  カウンター天板
２  カウンターエプロン
３  床
４  浴室壁
５  浴槽
６  水栓
７  鏡
８  カウンター支持材
９  固定用ねじ
１０  支持材固定用木
１１  カウンター天板の切りかき部
１２  カウンター支持材挿入部
１３  カウンター天板の端部
１４  カウンター支持材固定部
【図１】
2005137484.tif 000003
【図２】
2005137484.tif 000004
【図３】
2005137484.tif 000005
(57)【要約】      （修正有）【課題】湯船に浸かりながら行える足裏マッサージ器を提供する。【解決手段】足裏マッサージ器１の裏に吸盤３を設け湯船の側面や底面に固定できる様にする。また、長手方向中央部には短手方向に貫通する切欠き４を設け、排水栓用鎖と干渉するのを防止する。湯船につかりながら足裏を小突起２に押し付ける様にしてマッサージする。【選択図】図１
2005137551.tif 000002
【特許請求の範囲】
【請求項１】
足裏に刺激を与える凸凹面を備えた足裏マッサージ器において、前記凸凹面の裏面に吸盤が複数個設けてあり、長手方向中央部には、短手方向に切欠きを設け、排水栓用鎖と干渉せずに湯船に取り付けられる構造としたことを特徴とする足裏マッサージ器
【発明の詳細な説明】
【技術分野】
【０００１】
本発明は、足裏マッサージ器に関するものである。
【背景技術】
【０００２】
現在、一般に市販されている足裏マッサージ器は、図４に示す様に、床に置いてマッサージ器の上に立ったり、椅子に座って使用する構造となっている。（特許文献１及び２）
【０００３】
しかし、従来の足裏マッサージ器は脱衣所等で使う為、寒い時期になると風邪をひくおそれがある為、足裏マッサージに時間を掛けることが出来ない。また、暖房の効いた部屋で足裏マッサージを行う時なども、何か別のことを行いながら足裏マッサージを行うことがある為、入念に足裏マッサージをすることが出来ないことがある。
【特許文献１】特開２００２−３４５９２２
【０００４】
【特許文献２】特願平１０−２９４３９４
【発明の開示】
【発明が解決しようとする課題】
【０００５】
本発明は、上記した従来の足裏マッサージ器の問題点に鑑みてなされたもので、身体を温めながら足裏マッサージをすることが出来る様にするため、湯船に浸かりながら足裏マッサージを行える様にする。
【課題を解決するための手段】
【０００６】
本発明は、足裏マッサージ器の裏面に湯船に取り付けるための吸盤を複数個設け、長手方向中央部には短手方向に貫通する切欠きを設けたことを特徴とする。
【発明の効果】
【０００７】
湯船に浸かりながら足裏マッサージを行えるので、寒い思いをすることがなくなる。且つ、入浴中に足裏マッサージをするため、時間の節約にもなる。
【発明を実施するための最良の形態】
【０００８】
足裏マッサージ器に吸盤を取り付け固定出来る様にする。また、長手方向中央部には短手方向に貫通する切欠きを設け、排水栓用鎖と干渉するのを防止する。
【実施例１】
【０００９】
図１は、本発明の1実施例の斜視図であって、足裏マッサージ器１は、樹脂の様にお湯に浸けておいても変質しない材質からなり、カマボコ形状のものに足裏を刺激するための小突起２が複数個設けてある。
【００１０】
裏側には、長手方向両端２箇所に吸盤３が取り付けてあり、この吸盤３により湯船７の側面８や底面９に足裏マッサージ器１を固定する。
【００１１】
足裏マッサージ器１を固定する時、中央部にある切欠き４を、排水栓６の鎖５に合わせることにより、鎖５と足裏マッサージ器１が干渉することなく湯船７の側面８や底面９に平らに取り付けることが出来る。また、足裏マッサージ中に足裏マッサージ器１が鎖５を湯船７の側面８や底面９に押し付けて側面８を傷つけたり、不快な擦れ音を発したりすることがない。
【００１２】
図３に示す様に、湯船７に浸かりながら、踏ん張る様にして足裏を小突起２に押し付けてマッサージを行う。また、湯船７の底面９に取り付けその上に立って、足裏を刺激することもできる。
【００１３】
足裏マッサージ器１は、吸盤３で固定する構造の為、風呂掃除の時は取外すことが出来るので、掃除の邪魔にならない。この吸盤３には、外し易くする為、つまみ１１が設けられていても良い。
【００１４】
図１に示す足裏マッサージ器は、一例であり限定的に解釈すべきものでないことはいうまでもない。
【００１５】
足裏を刺激する方法は、ローラー状の回転するもの等でも良い。
【００１６】
吸盤３は、吸い付きが悪くなったりすることがあるので、交換出来る様な構造としても良い。
【００１７】
足裏マッサージ器１の取り付け位置を、肩や腰の場所に移動すれば、肩や腰のマッサージをすることも出来る。
【図面の簡単な説明】
【００１８】
【図１】本発明の足裏マッサージ器の一例を示す斜視図
【図２】本発明の足裏マッサージ器の上面図
【図３】本発明の使用状態を示す側面図
【図４】従来例を示す説明図
【符号の説明】
【００１９】
１：足裏マッサージ器、２：小突起、３：吸盤、４：切欠き、５：鎖、６：排水栓、７：湯船、８：側面、９：底面、１０：従来の足裏マッサージ器、１１：つまみ
【図１】
2005137551.tif 000003
【図２】
2005137551.tif 000004
【図３】
2005137551.tif 000005
【図４】
2005137551.tif 000006
(57)【要約】      （修正有）【課題】役成立の演出においては、リールの停止の並びで役の成立を判断したり、液晶で告知したりなど演出が単調である。【解決手段】役が成立した際の演出の１つとして、ストップボタンを押してもリールが止まらない様にし、機械制御により自動でリールが停止することで、従来と全く異なる演出を設けることができる。【選択図】図４
2005137540.tif 000002
【特許請求の範囲】
【請求項１】
役の成立・不成立時の一演出として、ストップボタンを押してもリールが止まらない事を特徴とするスロット機の演出。
【請求項２】
役の成立・不成立時の一演出として、スロット機械内でリールを制御してストップボタンを押してもリールが止まらないようにし、機械が自動でリールをストップする事を特徴とする請求項１記載のスロット機の演出。
【発明の詳細な説明】
【技術分野】
【０００１】
本発明は、スロット機の一演出に関するものである。
【背景技術】
【０００２】
従来のスロット機においては、図１に示すようにストップボタンを押下するとそれに対応するリールが停止するという機械制御がされている。
【発明の開示】
【発明が解決しようとする課題】
【０００３】
しかしながら、以上の従来技術によれば、リールが見えない人にとっては役をなかなか揃える事ができないという問題があった。
また、役成立の演出がリールの停止並びで判断したり、液晶で告知されたりと単調であり、長時間遊んでいると飽きてしまう。
そこで、この発明は、機械制御によりリールが止まらない事を提供することで、より多くの演出を設けることができると共に初心者にも楽しむことができることを課題とする。
【課題を解決するための手段】
【０００４】
以上の課題を解決するために、請求項１の発明は、役の成立・不成立時にストップボタンを押してもリールが止まらない事を特徴とするスロット機の演出である。
また、請求項２の発明は、役の成立・不成立時にスロット機械内でリールを制御してストップボタンを押してもリールが止まらないようにし、機械が自動でリールをストップする事を特徴とするスロット機の演出である。
【発明の効果】
【０００５】
以上説明したように、この発明によれば、初心者にもわかりやすく、従来よりも多くの演出を設けることができる。
【０００６】
また、演出も単調にならないので、長時間遊んでいても飽きがこない。
【発明を実施するための最良の形態】
【０００７】
この発明の一実施形態を、図１に示す。
スロット機にはボタンが３つとそれに対応する３つのリールが存在する。
図２に示すようにボタンの押すパターンは６通りあり、全て本発明を適用するものとするが、説明は便宜上（１）−（２）−（３）の順番で押すこととする。
また、ボタン押下時という説明はボタンを押下したときはもちろん、時間経過により自動でボタンが停止された場合も説明に含むものとする。
演出のパターン１（図４）・・・（１）ボタン押下時に（１）リールが停止しない、（２）ボタン押下時に（２）リールが停止、（３）ボタン押下時に（３）リールが停止、（１）リールが自動停止し役が揃う、または揃わない。
演出のパターン２（図５）・・・（１）ボタン押下時に（１）リールが停止しない、（２）ボタン押下時に（２）リールが停止しない、（３）ボタン押下時に（３）リールが停止、（１）リール（２）リールが自動停止し役が揃う、または揃わない。
演出のパターン３（図６）・・・（１）ボタン押下時に（１）リールが停止しない、（２）ボタン押下時に（２）リールが停止しない、（３）ボタン押下時に（３）リールが停止しない、（１）リール（２）リール（３）リールが自動停止し役が揃う、または揃わない。
自動停止が開始するタイミングは、全てのボタンを押下したとき、または経過時間により全てのボタン制御が失われたときから、相当時間を待って開始されるものとする。
図３に示すように、役（役成立の予告目も含む）には１つの出目で成立するもの、２つの出目で成立するもの、３つの出目で成立するもの、または払い出し枚数の異なるものが考えられるが、全ての役に本発明は適用するのものとする。
【実施例１】
【０００８】
この実施形態によれば、従来よりもより多くの演出を設けさせることができる。
【０００９】
ストップボタンを押下してリールが停止しないという実施形態は本発明が初めてであり、他に類を見ない。
【図面の簡単な説明】
【００１０】
【図１】この発明の一実施形態を示す全体図である。
【図２】この発明においての適用パターンを示した図である。
【図３】この発明においての適用パターンを示した図である。
【図４】この発明においての演出図である。
【図５】この発明においての演出図である。
【図６】この発明においての演出図である。
【符号の説明】
【００１１】
１  リール
２  ストップボタン
【図１】
2005137540.tif 000003
【図２】
2005137540.tif 000004
【図３】
2005137540.tif 000005
【図４】
2005137540.tif 000006
【図５】
2005137540.tif 000007
【図６】
2005137540.tif 000008